(57)【要約】【課題】電力計測装置、分電盤、分電盤システム及び分電盤システムの生産方法において、ケーブルの配線をより簡易化することにある。【解決手段】分電盤１０内において電流センサ１５ａ〜１５ｏ、１６ａ〜１６ｏから延出する複数のケーブル２１ａ〜２１ｏ、２２ａ〜２２ｏがケーブル束３５として纏められたうえで分電盤１０の外に延出される。この分電盤１０から延出するケーブル束３５が電力計測装置２０に接続される。【選択図】図１
2014079115.tif 000002
【特許請求の範囲】
【請求項１】
電圧線と中性線に接続された回路遮断器に流れる電流を検出する複数の電流センサからの検出結果に基づき電力を算出する電力計測装置であって、
前記電力計測装置には、前記各電流センサから延出する複数のケーブルがケーブル束として纏められたうえで接続される
ことを特徴とする電力計測装置。
【請求項２】
請求項１に記載の電力計測装置において、
前記回路遮断器として、第１の電圧線及び前記中性線に接続された複数の第１の回路遮断器と、第２の電圧線及び前記中性線に接続された複数の第２の回路遮断器とを有し、
前記電力計測装置には、前記第１の回路遮断器に対応する前記電流センサから延出する複数のケーブルがケーブル束として纏められたうえで接続されるとともに、前記各第２の回路遮断器に対応する前記電流センサから延出する複数のケーブルがケーブル束として纏められたうえで接続される
ことを特徴とする電力計測装置。
【請求項３】
請求項２に記載の電力計測装置において、
前記第１及び第２の回路遮断器は異なる高さであって、それぞれ幅方向に配列されるとともに、
前記各ケーブルは、前記第１及び第２の回路遮断器の設置間隔距離だけ離間して前記電流センサから延出し、その延出側において他のケーブルと纏められる
ことを特徴とする電力計測装置。
【請求項４】
請求項２に記載の電力計測装置において、
前記第１及び第２の回路遮断器は異なる高さであって、それぞれ幅方向に配列されるとともに、
互いに隣接する前記複数の電流センサ毎に複数のグループに分け、各グループの電流センサからのケーブルが１つに纏められてケーブル少数束が構成され、当該複数のケーブル少数束がさらに纏められることで前記ケーブル束が構成される
ことを特徴とする電力計測装置。
【請求項５】
電圧線と中性線に接続された回路遮断器と、前記回路遮断器に流れる電流を検出する複数の電流センサと、を備えた分電盤であって、
前記各電流センサに接続された複数のケーブルがケーブル束として纏められたうえで前記分電盤の外に延出される
ことを特徴とする分電盤。
【請求項６】
請求項５に記載の分電盤において、
前記回路遮断器として、第１の電圧線及び前記中性線に接続された複数の第１の回路遮断器と、第２の電圧線及び前記中性線に接続された複数の第２の回路遮断器とを有し、
前記第１の回路遮断器に対応する前記電流センサに接続された複数のケーブルがケーブル束として纏められたうえで前記分電盤の外に延出され、
前記各第２の回路遮断器に対応する前記電流センサに接続された複数のケーブルがケーブル束として纏められたうえで前記分電盤の外に延出される
ことを特徴とする分電盤。
【請求項７】
請求項６に記載の分電盤において、
前記第１及び第２の回路遮断器は異なる高さであって、それぞれ幅方向に配列されるとともに、
前記各ケーブルは、前記第１及び第２の回路遮断器の設置間隔距離だけ離間して前記電流センサから延出し、その延出側において他のケーブルと纏められる
ことを特徴とする分電盤。
【請求項８】
請求項６に記載の分電盤において、
前記第１及び第２の回路遮断器は異なる高さであって、それぞれ幅方向に配列されるとともに、
互いに隣接する前記複数の電流センサ毎に複数のグループに分け、各グループの電流センサからのケーブルが１つに纏められてケーブル少数束が構成され、当該複数のケーブル少数束がさらに纏められることで前記ケーブル束が構成される
ことを特徴とする分電盤。
【請求項９】
請求項１〜４の何れか一項に記載の電力計測装置から導出された前記ケーブル束は、請求項５〜８の何れか一項に記載の分電盤内で前記各回路遮断器の設置間隔に応じて分岐されて、その分岐されたケーブルが前記各電流センサに接続される
ことを特徴とする分電盤システム。
【請求項１０】
請求項１〜４の何れか一項に記載の電力計測装置から導出された前記ケーブル束を、請求項５〜８の何れか一項に記載の分電盤内で前記各回路遮断器の設置間隔に応じて分岐し、その分岐したケーブルを前記各電流センサに接続する
ことを特徴とする分電盤システムの生産方法。
【発明の詳細な説明】
【技術分野】
【０００１】
この発明は、電力計測装置、分電盤、分電盤システム及び分電盤システムの生産方法に関する。
【背景技術】
【０００２】
一般的に、図５に示すように、分電盤１００内には、主幹ブレーカ１０１と、複数の分岐ブレーカ１０２とが設けられている。各分岐ブレーカ１０２に対応して電流センサ（ＣＴ：Current Transformer）１０５が設けられている。
【０００３】
各電流センサ１０５はそれぞれ別個のケーブル１０６を介して分電盤１００の外に位置する電力計測装置１１０に接続されている。電力計測装置１１０は、各電流センサ１０５の検出結果に基づき、分岐ブレーカ１０２毎の消費電力を計測することができる（例えば、特許文献１参照）。
【先行技術文献】
【特許文献】
【０００４】
【特許文献１】特開２００１−１０３６２２号公報
【発明の概要】
【発明が解決しようとする課題】
【０００５】
上記構成においては、分電盤１００内でのケーブル１０６の配線、及び分電盤１００と電力計測装置１１０との間でのケーブル１０６の配線が複雑となる。
この発明は、こうした実情に鑑みてなされたものであり、その目的は、ケーブルの配線をより簡易化した電力計測装置、分電盤、分電盤システム及び分電盤システムの生産方法を提供することにある。
【課題を解決するための手段】
【０００６】
以下、上記目的を達成するための手段及びその作用効果について説明する。
上記課題を解決する電力計測装置は、電圧線と中性線に接続された回路遮断器に流れる電流を検出する複数の電流センサからの検出結果に基づき電力を算出するとともに、前記電力計測装置には、前記各電流センサから延出する複数のケーブルがケーブル束として纏められたうえで接続される。
【０００７】
上記電力計測装置について、前記回路遮断器として、第１の電圧線及び前記中性線に接続された複数の第１の回路遮断器と、第２の電圧線及び前記中性線に接続された複数の第２の回路遮断器とを有し、前記電力計測装置には、前記第１の回路遮断器に対応する前記電流センサから延出する複数のケーブルがケーブル束として纏められたうえで接続されるとともに、前記各第２の回路遮断器に対応する前記電流センサから延出する複数のケーブルがケーブル束として纏められたうえで接続されることが好ましい。
【０００８】
上記電力計測装置について、前記第１及び第２の回路遮断器は異なる高さであって、それぞれ幅方向に配列されるとともに、前記各ケーブルは、前記第１及び第２の回路遮断器の設置間隔距離だけ離間して前記電流センサから延出し、その延出側において他のケーブルと纏められることが好ましい。
【０００９】
上記電力計測装置について、前記第１及び第２の回路遮断器は異なる高さであって、それぞれ幅方向に配列されるとともに、互いに隣接する前記複数の電流センサ毎に複数のグループに分け、各グループの電流センサからのケーブルが１つに纏められてケーブル少数束が構成され、当該複数のケーブル少数束がさらに纏められることで前記ケーブル束が構成されることが好ましい。
【００１０】
上記課題を解決する分電盤は、電圧線と中性線に接続された回路遮断器と、前記回路遮断器に流れる電流を検出する複数の電流センサと、を備えた分電盤であって、前記各電流センサに接続された複数のケーブルがケーブル束として纏められたうえで前記分電盤の外に延出されることが好ましい。
【００１１】
上記分電盤について、前記回路遮断器として、第１の電圧線及び前記中性線に接続された複数の第１の回路遮断器と、第２の電圧線及び前記中性線に接続された複数の第２の回路遮断器とを有し、前記第１の回路遮断器に対応する前記電流センサに接続された複数のケーブルがケーブル束として纏められたうえで前記分電盤の外に延出され、前記各第２の回路遮断器に対応する前記電流センサに接続された複数のケーブルがケーブル束として纏められたうえで前記分電盤の外に延出されることが好ましい。
【００１２】
上記分電盤について、前記第１及び第２の回路遮断器は異なる高さであって、それぞれ幅方向に配列されるとともに、前記各ケーブルは、前記第１及び第２の回路遮断器の設置間隔距離だけ離間して前記電流センサから延出し、その延出側において他のケーブルと纏められることが好ましい。
【００１３】
上記分電盤について、前記第１及び第２の回路遮断器は異なる高さであって、それぞれ幅方向に配列されるとともに、互いに隣接する前記複数の電流センサ毎に複数のグループに分け、各グループの電流センサからのケーブルが１つに纏められてケーブル少数束が構成され、当該複数のケーブル少数束がさらに纏められることで前記ケーブル束が構成されることが好ましい。
【００１４】
分電盤システムについて、上記電力計測装置から導出された前記ケーブル束は上記分電盤内で前記各回路遮断器の設置間隔に応じて分岐されて、その分岐されたケーブルが前記各電流センサに接続されることが好ましい。
【００１５】
上記分電盤システムの生産方法について、上記電力計測装置から導出された前記ケーブル束を、上記分電盤内で前記各回路遮断器の設置間隔に応じて分岐し、その分岐したケーブルを前記各電流センサに接続することが好ましい。
【発明の効果】
【００１６】
本発明によれば、電力計測装置、分電盤、分電盤システム及び分電盤システムの生産方法において、ケーブルの配線をより簡易化することができる。
【図面の簡単な説明】
【００１７】
【図１】第１の実施形態における分電盤システムの構成を示すブロック図。
【図２】第１の実施形態におけるケーブルの配線態様を示す正面図。
【図３】第２の実施形態における分電盤システムの構成を示すブロック図。
【図４】第２の実施形態におけるケーブルの配線態様を示す正面図。
【図５】背景技術における分電盤システムの構成を示すブロック図。
【発明を実施するための形態】
【００１８】
（第１の実施形態）
以下、分電盤システムの第１の実施形態について図１及び図２を参照して説明する。
図１に示すように、分電盤システム１は、分電盤１０と、電力計測装置２０とを備える。分電盤１０には商用交流電源２から交流電流が供給される。また、分電盤１０と電力計測装置２０との間はケーブル束３５を通じて接続されている。
【００１９】
分電盤１０は、リミッタ１１と、主幹ブレーカ１２と、複数の分岐ブレーカ１３ａ〜１３ｏ、１４ａ〜１４ｏと、電流センサ（ＣＴ）１５ａ〜１５ｏ、１６ａ〜１６ｏと、を備える。
【００２０】
リミッタ１１は、商用交流電源２を提供する電力会社との契約に基づいて設定される制限値を超える電流が流れると、自動的に主幹ブレーカ１２への電流供給を遮断する。
主幹ブレーカ１２は、リミッタ１１からの電流に基づき漏電や短絡が発生したとき、分岐ブレーカ１３ａ〜１３ｏ、１４ａ〜１４ｏへの電流供給を遮断する。
【００２１】
主幹ブレーカ１２は、第１の電圧線Ｌ１、第２の電圧線Ｌ２及び中性線Ｎを通じて各分岐ブレーカ１３ａ〜１３ｏ、１４ａ〜１４ｏに電力を供給する。
分岐ブレーカ１３ａ〜１３ｏは第１の電圧線Ｌ１及び中性線Ｎに接続されるとともに、分岐ブレーカ１４ａ〜１４ｏは第２の電圧線Ｌ２及び中性線Ｎに接続される。また、Ｌ１相に対応する分岐ブレーカ１３ａ〜１３ｏは高さ方向における上段に図中の左右方向（分岐ブレーカ幅方向）に沿って配列され、Ｌ２相に対応する分岐ブレーカ１３ａ〜１３ｏは高さ方向における下段に図中の左右方向（分岐ブレーカ幅方向）に沿って配列される。各分岐ブレーカ１３ａ〜１３ｏ、１４ａ〜１４ｏは距離Ｘ１だけ離間している。
【００２２】
本例では、分岐ブレーカ１３ａ〜１３ｏ、１４ａ〜１４ｏは、各相１５個、計３０個設けられている。分岐ブレーカ１３ａ〜１３ｏ、１４ａ〜１４ｏからの電力は各給電対象（図示略）に供給される。分岐ブレーカ１３ａ〜１３ｏ、１４ａ〜１４ｏは、各給電対象（図示略）に供給される電流が所定の閾値を超えたとき、各給電対象への電流供給を遮断する。なお、分岐ブレーカ１３ａ〜１３ｏは第１の回路遮断器に相当し、分岐ブレーカ１４ａ〜１４ｏは第２の回路遮断器に相当する。
【００２３】
電流センサ１５ａ〜１５ｏは、Ｌ１相に対応する分岐ブレーカ１３ａ〜１３ｏの図中上側に設けられている。また、電流センサ１６ａ〜１６ｏは、Ｌ２相に対応する分岐ブレーカ１４ａ〜１４ｏの図中下側に設けられている。
【００２４】
Ｌ１相に対応する電流センサ１５ａ〜１５ｏはケーブル２１ａ〜２１ｏを介して電力計測装置２０のＬ１端子Ａ１に接続されている。Ｌ２相に対応する電流センサ１６ａ〜１６ｏはケーブル２２ａ〜２２ｏを介して電力計測装置２０のＬ２端子Ａ２に接続されている。
【００２５】
この電流センサ１５ａ〜１５ｏ，１６ａ〜１６ｏは、分岐ブレーカ１３ａ〜１３ｏ，１４ａ〜１４ｏから各給電対象へ供給される電流を検出するとともに、その検出結果をケーブル２１ａ〜２１ｏ、２２ａ〜２２ｏを介して電力計測装置２０に出力する。電力計測装置２０は両端子Ａ１，Ａ２を通じて電流センサ１５ａ〜１５ｏ、１６ａ〜１６ｏの検出結果を取得し、その検出結果に基づき消費電力を計測する。
【００２６】
＜ケーブル配線方法＞
図２を参照しつつ、電流センサ１５ａ〜１５ｏ、１６ａ〜１６ｏと電力計測装置２０との間のケーブル配線方法について説明する。このケーブル配線が完了することで、分電盤システム１が完成する。
【００２７】
電流センサ１５ａ〜１５ｅから上側に延出する５本のケーブル２１ａ〜２１ｅがそれら電流センサ１５ａ〜１５ｅの上側にて纏められることで第１のケーブル少数束３１が構成される。同様に、電流センサ１５ｆ〜１５ｊから上側に延出する５本のケーブル２１ｆ〜２１ｊがそれら電流センサ１５ｆ〜１５ｊの上側にて纏められることで第２のケーブル少数束３２が構成され、電流センサ１５ｋ〜１５ｏから上側に延出する５本のケーブル２１ｋ〜２１ｏがそれら電流センサ１５ｋ〜１５ｏの上側にて纏められることで第３のケーブル少数束３３が構成される。本例では、電流センサ１５ａ〜１５ｅと、電流センサ１５ｆ〜１５ｊと、電流センサ１５ｋ〜１５ｏとで３つのグループが構成され、グループ毎にケーブルが纏められている。
【００２８】
第１のケーブル少数束３１は上流側（電力計測装置２０側）の特定位置Ｐ１において結束バンド３６ａを通じて第２のケーブル少数束３２とともに結束される。この特定位置Ｐ１はおおよそ電流センサ１５ｆ〜１５ｊの上側である。
【００２９】
また、第１及び第２のケーブル少数束３１，３２は、結束バンド３６ａのさらに上流側（電力計測装置２０側）の特定位置Ｐ２において結束バンド３６ｂを通じて第３のケーブル少数束３３とともに結束される。この特定位置Ｐ２はおおよそ電流センサ１５ｋ〜１５ｏの上側である。第１〜第３のケーブル少数束３１〜３３が纏められることでケーブル束３５が構成される。このケーブル束３５は分電盤１０から外に延出される。そして、ケーブル束３５の先端は電力計測装置２０（Ｌ１端子Ａ１）に接続される。ケーブル束３５は、分電盤１０及び電力計測装置２０間では樹脂性のチューブ３８に覆われている。
【００３０】
なお、Ｌ２相に対応する電流センサ１６ａ〜１６ｏからのケーブル２２ａ〜２２ｏについても上記同様に纏められたうえで、電力計測装置２０（Ｌ２端子Ａ２）に接続される。
以上、説明した実施形態によれば、以下の効果を奏することができる。
【００３１】
（１）分電盤１０内において各電流センサ１５ａ〜１５ｏ、１６ａ〜１６ｏから延出する複数のケーブル２１ａ〜２１ｏ、２２ａ〜２２ｏがケーブル束３５として纏められたうえで分電盤１０の外に延出される。この分電盤１０から延出するケーブル束３５が電力計測装置２０に接続される。このように、ケーブル２１ａ〜２１ｏ、２２ａ〜２２ｏが纏められることでケーブル配線をより簡易化することができる。
【００３２】
（２）互いに隣接する電流センサ１５ａ〜１５ｅからの５本のケーブル２１ａ〜２１ｅが纏められてケーブル少数束３１が形成される。同様に、互いに隣接する電流センサ１５ｆ〜１５ｊからの５本のケーブル２１ｆ〜２１ｊが纏められてケーブル少数束３２が形成され、互いに隣接する電流センサ１５ｋ〜１５ｏからの５本のケーブル２１ｋ〜２１ｏが纏められてケーブル少数束３３が形成される。そして、それらケーブル少数束３１〜３３が纏められることでケーブル束３５が構成される。このように、ケーブルを纏めることで、特に、分電盤１０内のケーブル配線をより簡易化することができる。
【００３３】
（３）Ｌ１相に対応する分岐ブレーカ１３ａ〜１３ｏと、Ｌ２相に対応する分岐ブレーカ１４ａ〜１４ｏとは異なる高さに配列される。このような一般的な分岐ブレーカの構成において、電流センサ１５ａ〜１５ｅ，１６ａ〜１６ｅと電力計測装置２０との間のケーブル配線を簡易化することができる。
【００３４】
（第２の実施形態）
以下、分電盤システムの第２の実施形態について図３及び図４を参照して説明する。この実施形態の電力計測装置は、分電盤内のケーブル配線が上記第１の実施形態と異なっている。以下、第１の実施形態との相違点を中心に説明する。
【００３５】
図３に示すように、Ｌ１相に対応する電流センサ１５ａ〜１５ｏから上側にケーブル２５ａ〜２５ｏが延出する。すなわち、図４に示すように、上側に延出するケーブル２５ａ〜２５ｏは、分岐ブレーカ１３ａ〜１３ｏ、１４ａ〜１４ｏの配置間隔に応じた距離Ｘ１だけ離間している。
【００３６】
図４に示すように、ケーブル２５ａ〜２５ｏは第１の実施形態と同様に結束バンド３７ａ，３７ｂを通じて結束されている。詳しくは、ケーブル２５ｎは、結束バンド３７ａを通じてケーブル２５ａ〜２５ｍとともに結束される。同様に、ケーブル２５ｏは、結束バンド３７ａより上流側（電力計測装置２０側）において結束バンド３７ｂを通じてケーブル２５ａ〜２５ｎとともに結束される。他のケーブル２５ａ〜２５ｍもこれと同様に結束バンドを通じて結束される。これにより、ケーブル束３５が構成される。このケーブル束３５は、第１の実施形態と同様に、電力計測装置２０に接続される。
【００３７】
Ｌ２相に対応する電流センサ１６ａ〜１６ｏから上側に延出するケーブル２６ａ〜２６ｏも上記同様に結束される。
以上、説明した実施形態によれば、第１の実施形態の（１）〜（３）の効果に加え、以下の効果を奏することができる。
【００３８】
（４）各ケーブル２１ａ〜２１ｏ、２２ａ〜２２ｏは、分岐ブレーカ１３ａ〜１３ｏ、１４ａ〜１４ｏの設置間隔距離（距離Ｘ１）だけ離間して電流センサ１５ａ〜１５ｏ、１６ａ〜１６ｏから延出し、その延出側において他のケーブル２１ａ〜２１ｏ、２２ａ〜２２ｏと結束される。よって、分電盤１０内においてケーブル２１ａ〜２１ｏ、２２ａ〜２２ｏを無駄なく配線することができる。よって、ケーブル２１ａ〜２１ｏ、２２ａ〜２２ｏの配線をより簡易化することができる。
【００３９】
（５）各ケーブル２１ａ〜２１ｏ、２２ａ〜２２ｏは自身に対応する電流センサ１５ａ〜１５ｏ、１６ａ〜１６ｏより上流側で他のケーブルと結束される。これにより、分電盤１０内においてケーブル２１ａ〜２１ｏ、２２ａ〜２２ｏを無駄なく配線することができる。例えば、図４の一点鎖線で示すように、ケーブル２５ｎに弛みが生じることが抑制される。
【００４０】
なお、上記実施形態は、これを適宜変更した以下の形態にて実施することができる。
・第１の実施形態においては、各ケーブル少数束３１〜３３のケーブル数は５つであったが、各ケーブル少数束におけるケーブル数を適宜変更してもよい。
【００４１】
・Ｌ１相に対応する分岐ブレーカ１３ａ〜１３ｏ及びＬ２相に対応する分岐ブレーカ１４ａ〜１４ｏの数は上記各実施形態に限定されず、例えばＬ１相、Ｌ２相毎に１０個であってもよい。
【００４２】
・また、上記各実施形態においては、上段にＬ１相に対応する分岐ブレーカ１３ａ〜１３ｏが配列され、下段にＬ２相に対応する分岐ブレーカ１４ａ〜１４ｏが配列されていたが、Ｌ１相に対応する分岐ブレーカとＬ２相に対応する分岐ブレーカとが交互に配列されていてもよい。この場合でも、上記各実施形態と同様にケーブル配線がされる。
【００４３】
・上記各実施形態においては、結束バンド３６ａ，３６ｂ，３７ａ，３７ｂを通じてケーブルが纏められていたが、テープ、接着剤等その他の手段を通じてケーブルを纏めてもよい。
【符号の説明】
【００４４】
１…分電盤システム、２…商用交流電源、１０…分電盤、１１…リミッタ、１２…主幹ブレーカ、１３ａ〜１３ｏ…分岐ブレーカ、１４ａ〜１４ｏ…分岐ブレーカ、１５ａ〜１５ｏ…電流センサ、１６ａ〜１６ｏ…電流センサ、２０…電力計測装置、２１ａ〜２１ｏ、２２ａ〜２２ｏ、２５ａ〜２５ｏ、２６ａ〜２６ｏ…ケーブル、３１〜３３…第１〜第３のケーブル少数束、３５…ケーブル束、３６ａ，３６ｂ，３７ａ，３７ｂ…結束バンド、３８…チューブ。
【図１】
2014079115.tif 000003
【図２】
2014079115.tif 000004
【図３】
2014079115.tif 000005
【図４】
2014079115.tif 000006
【図５】
2014079115.tif 000007